(57)【要約】【課題】簡単な回路構成であるとともに、低消費電力化を図ることができる表示装置および表示装置の駆動方法を提供する。【解決手段】リバースモードのスクリーン２１の対向電極２６には、光学層の光学状態を変化させる周期の２倍の周期で、正の電圧Ｖ１１と０ボルトとの間で変化する矩形波電圧を印加し、制御電極２７には、対向電極２６に印加した矩形波電圧と同じ周期かつ同相でＶ１１と同じ値である正の電圧Ｖ１２と０ボルトとの間で変化する矩形波電圧に光学層２５の光学状態を変化させるタイミングで光学状態が変化する電極間電位差となるパルス電圧を重畳させて印加するように制御する。【選択図】図５
2020173467.tif 000002
【特許請求の範囲】
【請求項１】
電圧の印加により光学状態が変化する光学層、および前記光学層に電圧を印加するために前記光学層を挟んで対向配置される第１電極及び第２電極を備えたスクリーンと、
前記スクリーンに投影される映像光の投影期間において、前記第１電極および前記第２電極に所定の電圧を印加し、前記スクリーンを前記映像光を散乱する所定の映像状態と該映像状態と異なる光学状態である非映像状態との間で切り替える制御部と、
を有する表示装置において、
前記制御部が、前記第１電極に、前記光学状態を変化させる周期の整数倍の周期の第１矩形波電圧を印加し、前記第２電極に、前記第１矩形波電圧と同じ周期かつ同じ位相または同じ周期かつ半周期ずれている位相の第２矩形波電圧と、前記光学状態を変化させるタイミングで前記光学状態が変化する電極間電位差とするパルス電圧と、を重畳させて印加することを特徴とする表示装置。
【発明の詳細な説明】
【技術分野】
【０００１】
本発明は、映像を表示する表示装置および表示装置の駆動方法に関する。
【背景技術】
【０００２】
従来からプロジェクタ等の光源からの投影映像をスクリーン（投影面）に投影して映像を表示する表示装置が知られている。
【０００３】
この種の表示装置のスクリーンには、液晶素子を使用することがある。液層素子（液晶ディスプレイ）は、一般的に直流駆動すると寿命が短くなるため、交流電圧を加えることで駆動する交流電圧駆動が行われている。この交流の印加方式としては、フレーム反転駆動方式、行ライン反転駆動方式、列ライン反転駆動方式およびドット反転駆動方式などが挙げられる（交流駆動の液晶を使用したスクリーンの例として特許文献１を参照）。
【０００４】
また、特許文献２には、スクリーンとして透過型の液晶ディスプレイパネルを使用し、スクリーンの透過率を制御して透明状態と不透明状態とを交互に変化させて、透明状態のときにスクリーンの背後に設置されたカメラで鑑賞者の撮影を行い、不透明状態のときにはディプレイとして映像を表示させることが提案されている。
【先行技術文献】
【特許文献】
【０００５】
【特許文献１】特開第４２２９１６１号公報
【特許文献２】特許第４４９０３５７号公報
【発明の概要】
【発明が解決しようとする課題】
【０００６】
特許文献２に記載された透過型の液晶ディスプレイも、駆動方法としては交流駆動が行われる。しかしながら、交流駆動の場合、光学状態を変化させるタイミングの自由度を高くするために、一方の電極を０ボルトに固定して、他方の電極に両極性の交流電圧波形を印加することがあるが、その場合、正の所定電圧＋Ｖと負の所定電圧−Ｖの２つの電源が必要となり、電源や駆動回路が複雑化するという問題がある。また、駆動電圧の振幅も大きくなってしまうために、消費電力が大きくなってしまうという問題がある。
【０００７】
そこで、本発明は、上述した問題に鑑み、例えば、簡単な回路構成であるとともに、低消費電力化を図ることができる表示装置および表示装置の駆動方法を提供することを課題とする。
【課題を解決するための手段】
【０００８】
上記課題を解決するために、請求項１に記載の表示装置は、電圧の印加により光学状態が変化する光学層、および前記光学層に電圧を印加するために前記光学層を挟んで対向配置される第１電極及び第２電極を備えたスクリーンと、前記スクリーンに投影される映像光の投影期間において、前記第１電極および前記第２電極に所定の電圧を印加し、前記スクリーンを前記映像光を散乱する所定の映像状態と該映像状態と異なる光学状態である非映像状態との間で切り替える制御部と、を有する表示装置において、前記制御部が、前記第１電極に、前記光学状態を変化させる周期の整数倍の周期の第１矩形波電圧を印加し、前記第２電極に、前記第１矩形波電圧と同じ周期かつ同じ位相または同じ周期かつ半周期ずれている位相の第２矩形波電圧と、前記光学状態を変化させるタイミングで前記光学状態が変化する電極間電位差とするパルス電圧と、を重畳させて印加することを特徴としている。
【図面の簡単な説明】
【０００９】
【図１】本発明の第１の実施例にかかる表示装置の概略構成図である。
【図２】図１に示されたスクリーンの模式的な断面図である。
【図３】図１に示されたスクリーンの光学特性と同期して投射するプロジェクタの説明図である。
【図４】図１に示された表示装置における映像光による映像とスクリーンの背景が重なる表示状態の説明図である。
【図５】図１に示されたスクリーンがリバースモードで動作する場合の駆動電圧波形を示したタイミングチャートである。
【図６】図１に示されたスクリーンがノーマルモードで動作する場合の駆動電圧波形を示したタイミングチャートである。
【図７】本発明の第２の実施例にかかる表示装置のスクリーンがリバースモードで動作する場合の駆動電圧波形を示したタイミングチャートである。
【図８】図７に示されたスクリーンがノーマルモードで動作する場合の駆動電圧波形を示したタイミングチャートである。
【図９】本発明の第３の実施例にかかる表示装置のスクリーンがリバースモードで動作する場合の駆動電圧波形を示したタイミングチャートである。
【図１０】本発明の第４の実施例にかかる表示装置のスクリーンがリバースモードで動作する場合の駆動電圧波形を示したタイミングチャートである。
【図１１】図５に示された駆動電圧波形の光学層の素子電圧と平行光線透過率との関係を示したグラフである。
【図１２】図１０に示された駆動電圧波形の光学層の素子電圧と平行光線透過率との関係を示したグラフである。
【図１３】本発明の第５の実施例にかかる表示装置のスクリーンがリバースモードで動作する場合の駆動電圧波形を示したタイミングチャートである。
【図１４】本発明の第６の実施例にかかるスクリーンの模式的な断面図である。
【図１５】図１４に示された複数の制御電極の配置を示すスクリーンの模式的な正面図である。
【図１６】図１４に示されたスクリーンの走査と駆動との同期制御の説明図である。
【図１７】図１４に示されたスクリーンを走査するプロジェクタの説明図である。
【図１８】図１４に示されたスクリーンの走査と駆動の模式的なタイミングチャートである。
【図１９】図１４に示された駆動電圧波形を複数の領域に対して印加した場合を示すタイミングチャートである。
【図２０】本発明の第７の実施例にかかる表示装置のスクリーンがリバースモードで動作する場合の駆動電圧波形を示したタイミングチャートである。
【発明を実施するための形態】
【００１０】
以下、本発明の一実施形態にかかる表示装置を説明する。本発明の一実施形態にかかる表示装置は、電圧の印加により光学状態が変化する光学層、および光学層に電圧を印加するために光学層を挟んで対向配置される第１電極及び第２電極を有するスクリーンの第１電極には、光学層の光学状態を変化させる周期の整数倍の周期の第１矩形波電圧を印加し、第２電極には、第１矩形波電圧と同じ周期かつ位相が同じまたは半周期ずれている第２矩形波電圧に光学層の光学状態を変化させるタイミングで光学状態が変化する電極間電位差となるパルス電圧を重畳させて印加するように制御部が駆動するので、例えば、第１、第２矩形波電圧およびパルス電圧の振幅を所望の光学特性が得られる電極間電位差とすれば、少ない電源（１電源）で駆動するための回路を構成することができるので、簡単な回路構成にすることができる。また、電圧を低下させることができるので、消費電力を低下させることができる。さらに、容易に任意のタイミングで光学層を構成する素子の光学特性を変化させることが可能となる。
【００１１】
また、第１電極に印加される第１矩形波電圧と第２電極に印加される第２矩形波電圧が、正または負の電圧および０ボルトを示す電圧で構成され、第２電極に印加される第２矩形波電圧の振幅が、第１矩形波電圧と同じとなっている、または、第１矩形波電圧より小さくなっていてもよい。このようにすることにより、２つの矩形波電圧を片極性の電圧にできるので一つの電極に印加する電圧の振幅を小さくすることができる。また、第１、第２矩形波電圧の振幅を光学状態が変化する電極間電位差とすれば、１電源で駆動するための回路を構成することができるので、簡単な回路構成にすることができる。また、第２矩形波電圧の振幅を小さくすれば、パルス電圧を印加するタイミング以外では小さい電圧で駆動できるので、消費電力を低下させることができる。
【００１２】
また、第１電極に印加される第１矩形波電圧と第２電極に印加される第２矩形波電圧が、両極性交流電圧であり、第２電極に印加される第２矩形波電圧の振幅が、第１矩形波電圧と同じとなっている、または、第１矩形波電圧より小さくなっていてもよい。このようにすることにより、２つの矩形波電圧を両極性の電圧にできるので一つの電極に印加する電圧の絶対値を小さくすることができる。第１矩形波電圧と第２矩形波電圧とが同じ振幅の場合は、電源を共通化することができるので、簡単な回路構成にすることができる。また、第２矩形波電圧の振幅が小さい場合は、両極性交流電圧とした場合でも、第１矩形波電圧や第２矩形波電圧の振幅を従来よりも低下させながら光学状態が変化する電極間電位差を生成することができるので、消費電力を低下させることができる。
【００１３】
また、第１電極に印加される第１矩形波電圧が、バイアスされた交流電圧であり、第２電極に印加される第２矩形波電圧が、正または負の電圧および０ボルトを示す電圧で構成され、第２電極に印加される第２矩形波電圧の振幅が、第１矩形波電圧より小さく、かつ、振幅の中央値が第１矩形電圧と同じ値であってもよい。このようにすることにより、第１電極をバイアスした分だけ第２電極の振幅を小さくしても光学状態が変化する電極間電位差を生成することができるので、消費電力を低下させることができる。
【００１４】
また、パルス電圧が、第２矩形波電圧を構成する２つの電圧値のうち、少なくともいずれか一方と同じ値であってもよい。このようにすることにより、第２矩形波電圧を生成する電源とパルス電圧を形成する電源を共通化することができるので、駆動回路を簡単な回路構成にすることができる。
【００１５】
また、パルス電圧が、第１矩形波電圧を構成する２つの電圧値のうち、少なくともいずれか一方と同じ値であってもよい。このようにすることにより、第１矩形波電圧を生成する電源とパルス電圧を形成する電源を共通化することができるので、駆動回路を簡単な回路構成にすることができる。
【００１６】
また、パルス電圧の振幅が、第１矩形波電圧の振幅よりも小さくてもよい。このようにすることにより、パルス電圧の振幅を小さくしても、光学状態が変化する電極間電位差を生成することができるので、消費電力を低下させることができる。
【００１７】
また、パルス電圧が、第２矩形波電圧の半周期において、複数の電圧値より構成されていてもよい。このようにすることにより、例えば、１つのパルス電圧を段階的に変化させることで、光学層を構成する素子の過渡特性を最適化することができる。
【００１８】
また、第１矩形波電圧の周期が、光学層の光学状態を変化させる周期の偶数倍となっていてもよい。このようにすることにより、第１矩形波電圧の波形を映像の同期信号などから生成し易くなり、回路構成を簡単にすることができる。
【００１９】
また、第１矩形波電圧および第２矩形波電圧が、この２つの矩形波電圧により生じる電位差により光学層を構成する素子の素子特性が変化せず、電圧を印加しない場合と同じ光学状態となる電圧としてもよい。このようにすることにより、素子の経時変化による劣化を少なくすることができる。
【００２０】
また、第２電極が複数の領域に分割されており、制御部が、分割された第２電極の各領域に対応する光学層の光学状態を変化させるタイミングを順次切り替えるようにパルス電圧の印加タイミングを順次切り替えてもよい。このようにすることにより、第２電極が複数の領域に分割されているようなスクリーンにおいて、簡単な回路構成にすることができるとともに、消費電力を低下させることができる。
【００２１】
また、第２電極が、短冊状に分割されていてもよい。このようにすることにより、例えば、スクリーンを走査方向に沿って縦に配列することができ、映像の走査順に順次光学状態を変化させることができる。
【００２２】
また、制御部が、複数の領域に分割された第２電極に印加するパルス電圧の印加時間を隣接する領域で互いに重なるように制御してもよい。このようにすることにより、次の領域の光学状態が安定してから映像を表示させることができ、輝度ムラなど表示の劣化を抑えることができる。
【００２３】
また、制御部が、第２電極に印加するパルス電圧の印加時間を増加または減少させることにより光学層の所望の光学特性維持時間を変化させてもよい。このようにすることにより、各領域の光学状態の保持時間率を任意に変化させることができ、それによってスクリーンの透明度を変化させることができる。
【００２４】
また、制御部が、複数の第２電極のうち、光学層の光学特性維持時間が第１矩形波電圧の電圧値変化タイミングを跨ぐ第２電極を検出した場合は、当該第２電極に印加するパルス電圧を、電圧値変化タイミングで第２矩形波電圧の中央値に関して反転するような電圧値に変化させるように制御してもよい。このようにすることにより、複数の領域のうち、光学特性維持時間が第１矩形波電圧の電圧値変化タイミングにかかってしまう領域も設定した時間分の光学特性を維持させることができ、領域によって光学特性維持時間が異なることによる表示のムラなど表示の劣化を防止することができる。
【００２５】
また、本発明の一実施形態にかかる表示装置の駆動方法は、電圧の印加により光学状態が変化する光学層、および光学層に電圧を印加するために光学層を挟んで対向配置される第１電極及び第２電極を有するスクリーンの第１電極には、光学層の光学状態を変化させる周期の整数倍の周期の第１矩形波電圧を印加し、第２電極には、第１矩形波電圧と同じ周期かつ位相が同じまたは半周期ずれている第２矩形波電圧に光学層の光学状態を変化させるタイミングで光学状態が変化する電極間電位差となるパルス電圧を重畳させて印加しているので、例えば、第１、第２矩形波電圧およびパルス電圧の振幅を所望の光学特性が得られる電極間電位差とすれば、少ない電源（１電源）で駆動するための回路を構成することができるので、簡単な回路構成にすることができる。また、電圧を低下させることができるので、消費電力を低下させることができる。さらに、容易に任意のタイミングで光学層を構成する素子の光学特性を変化させることが可能となる。
【実施例１】
【００２６】
本発明の第１の実施例にかかる表示装置１を図１乃至図６を参照して説明する。表示装置１は図１に示すように、プロジェクタ１１と、スクリーン２１と、同期制御部３１と、を備えている。表示装置１は、プロジェクタ１１の映像光をスクリーン２１で透過散乱する透過型プロジェクション装置である。
【００２７】
プロジェクタ１１は、走査周期中にスクリーン２１上で黒状態（投射光が出ない状態）を順次シフトさせる透過型あるいは反射型液晶ライトバルブなどを使用できるが、これ以外の素子を用いてもよい。また、プロジェクタ１１は、映像の走査周期においてラスター走査し、スクリーン２１の表示面に映像光を点順次で投影するものでもよい。このプロジェクタ１１では、強度変調された光ビームの照射方向を可動ミラーで反射して振るような、例えばレーザプロジェクタなどを用いることができる。このプロジェクタ１１は、映像光の照射位置がスクリーン２１上の一方向に順次走査されているものと同様に考えることができる。
【００２８】
プロジェクタ１１は、スクリーン２１へ映像情報により変調された映像光を投影できるものであればよい。なお、映像情報は、プロジェクタ１１に入力される映像信号から得られる。映像信号には、たとえば、ＮＴＳＣ（National Television Standards Committee）方式、ＰＡＬ（Phase Alternation by Line）方式のようなアナログ方式の映像信号、ＭＰＥＧ−ＴＳ（Moving Picture Experts Group − Transport Stream）フォーマット、ＨＤＶ（High-Definition Video）フォーマットのようなデジタルフォーマットの映像信号がある。プロジェクタ１１には、動画の映像信号だけでなく、たとえばＪＰＥＧ（Joint Photographic Experts Group）のような静止画の映像信号が入力されてもよい。この場合、プロジェクタ１１は、静止画を表示するための同じ映像光で、スクリーン２１を繰り返し走査すればよい。
【００２９】
スクリーン２１は、電圧の印加により光学状態を変化できるものであればよい。スクリーン２１の光学状態は、散乱する状態が映像状態であり、それよりも入射光の散乱が小さく且つ平行光線透過率が高い透明な透過状態が非映像状態である。
【００３０】
スクリーン２１は、例えば、液晶材料を用い、散乱状態と入射光の散乱が小さい透明な透過状態を変化させる調光スクリーンなどでよい。調光スクリーンには、たとえば、高分子分散液晶などの液晶素子を用いたもの、透明セル内の白色粉体を移動させることで散乱状態と入射光の散乱が小さい透明な透過状態を制御する素子などを用いたものなどがある。
【００３１】
図２に、光学状態を制御可能なスクリーン２１の模式的な断面図を示す。図２に示したスクリーン２１は、一対の透明なガラス板２３，２４の間に液晶を含む複合材料を挟み込んだ光学層２５を有する。一方のガラス板２４の光学層２５側には、全面に対向電極２６が形成される。他方のガラス板２３の光学層２５側には、全面に制御電極２７が配置される。なお、電極２６、２７と光学層２５との間に、絶縁体からなる中間層を形成してもよい。
【００３２】
また、対向電極２６および制御電極２７は、たとえばＩＴＯ（酸化インジウム・スズ）により、透明電極として形成される。光学層２５は、制御電極２７と対向電極２６との間に配置される。
【００３３】
スクリーン２１は、制御電極２７と対向電極２６との間に電位差を生じるように電圧が印加される。なお、以下に説明する駆動波形（駆動電圧波形）は、第２の電極としての制御電極２７と第１の電極としての対向電極２６に印加する波形（電圧）を示している。光学層２５内の液晶の配列状態は、対向電極２６と制御電極２７の印加電圧により変化する。
【００３４】
制御部としての同期制御部３１は、映像が投影されるスクリーン２１を、投影された映像光を散乱する状態に制御し、投影されていない場合に透過状態に制御する。同期制御部３１は、図１に示したように、プロジェクタ１１とスクリーン２１とに接続される。同期制御部３１は、プロジェクタ１１の映像光の投影に同期させて、スクリーン２１の光学状態を制御する。プロジェクタ１１から同期制御部３１へ入力される同期信号は、たとえばプロジェクタ１１の走査周期に同期した同期信号などを用いることができる。
【００３５】
次に、本実施例にかかる表示装置１において、スクリーン２１の光学特性と同期して投射するプロジェクタ１１の投影方式を、図３を参照して説明する。図３は、プロジェクタ１１がインターバルを空けて映像光を投影する方式の説明図である。この場合、スクリーン２１には、図３（Ｂ）に示すように、走査周期の一部において短期的に映像光が投影される。スクリーン２１は、図３（Ｃ）に示すように、該一部の期間において散乱状態とすればよい。
【００３６】
そして、該一部以外の期間において、スクリーン２１の平行光線透過率を高くするようにスクリーン２１の光学状態を制御すると、走査周期おいて、映像の輝度低下を招くことなく、スクリーン２１のシースルー特性が得られる。定常的に映像光を投影する場合に比べ、同一輝度を得るには、１走査周期に対する散乱状態の時間程度のデューティ（図中ｄｕｔｙ：ａ）の概ね逆数倍の強さの投影光が必要となる。従って高いシースルー特性を得るには、強力なパルス発光の投影光出力が必要である。
【００３７】
このようにプロジェクタ１１とスクリーン２１を制御することで、スクリーン２１は、その背面の物体を認識しうる透明さを有しつつ、常時散乱状態とした場合と同等の明るさで映像光を散乱して透過できる。つまり、背景物体を認識することが可能なシースルー性と、映像の高い視認性とを両立することが可能となる。
【００３８】
このプロジェクタ１１とスクリーン２１の同期制御のための切り替えタイミングの情報は、同期信号としてプロジェクタ１１から同期制御部３１に送出される。なお、プロジェクタ１１および同期制御部３１をマイクロ波、赤外線などの電磁波を用いたワイヤレス通信可能とし、これらの同期を得るための情報を無線信号により授受してもよい。
【００３９】
表示装置１では、たとえば図１の設置環境下では、図４に示したように画像を視認できる。図４は、映像光による映像とスクリーン２１の背景とが重なる表示状態の説明図である。図４では、スクリーン２１の右側に映像光による人物４１の像が映り、左側に、スクリーン２１の向こう側にある背景としての樹木４２を見ることができる。
【００４０】
次に、リバースモードで動作するスクリーン２１を用いる表示装置１の駆動を説明する。リバースモードで動作するスクリーン２１では、電圧を印加していない通常状態において、スクリーン２１が透明な透過状態となる。電圧を印加すると、印加電圧に応じた平行光線の散乱率の散乱状態となる。そして、スクリーン２１の光学状態は、所定の散乱状態が映像状態に対応し、それよりも平行光線透過率が高い透明な透過状態が非映像状態に対応する。
【００４１】
図５に、本実施形態にかかるリバースモードのスクリーン２１に同期制御部３１が印加する駆動電圧波形と光学状態の関係の一例を示したタイミングチャートを示す。また、駆動電圧波形の横軸は時間、縦軸は電圧である。光線透過率は光学層２５の光学状態である。光線透過率の横軸は時間、縦軸は平行光線の透過率である。平行光線透過率が小さいことは散乱が強いことを示している。
【００４２】
図５では、第１矩形波電圧である対向電極２６に素子特性を変化させる繰返し周期（Ｔ）の２倍の周期（２Ｔ）の矩形波電圧が印加されている。この素子特性を変化させる繰返し周期とは、例えば１フレーム期間である。対向電極２６に印加される矩形波電圧は、０ボルトと正電圧である＋Ｖ１１ボルトの２つの電圧の間を変化するように制御されている。また、対向電極２６に印加する矩形波電圧の周期は、素子特性を変化させる繰返し周期の２倍に限らないが、４倍など偶数倍であることが好ましい。
【００４３】
一方、第２矩形波電圧である第２電極には、対向電極２６と同じ周期かつ同相（電圧が変化するタイミングが同じ）の矩形波電圧に、光学状態を変化させるタイミングでパルス電圧が重畳されている。つまり、光学状態を変化させるタイミング（図５のＴ１１、Ｔ１２）で、対向電極２６と制御電極２７の電極間の電位差を、光学層２５の光学状態が変化する（透過状態から散乱状態に変化する）電位差まで増加するようにしている。図５では、Ｔ１１、Ｔ１２で透過状態から散乱状態に変化させている。つまり、このタイミングからパルス電圧の印加時間の間、制御電極２７に対応する領域が映像状態になり、映像が投影される。
【００４４】
また、制御電極２７に印加させる矩形波電圧とパルス電圧は０ボルトと正電圧である＋Ｖ１２ボルトの２つの電圧の間を変化するように制御されている。即ち、Ｔ１１では＋Ｖ１２ボルトのパルス電圧が印加され、Ｔ１２では電圧が０ボルトに保持されたパルス電圧が印加されていることから、パルス電圧が制御電極２７に印加される矩形波電圧の２つの電圧値（＋Ｖ１２、０）と同じ値となっている。
【００４５】
対向電極２６および制御電極２７に印加する駆動電圧波形の振幅Ｖ１１及びＶ１２は、光学層２５を構成する素子に直流バイアス成分が印加されないように一致している（Ｖ１１＝Ｖ１２）ことが望ましいが、異なっていても光学層２５を構成する素子特性に影響のない範囲で、透明状態を維持できる電位差と散乱状態となる電位差に基づいて適宜設定してもよい。例えば、制御電極２７に印加する矩形波電圧の振幅を対向電極に印加する矩形波電圧よりも小さくし、パルス電圧は、光学状態を変化できる電位差となる電圧を印加するようにしてもよい。
【００４６】
なお、図５では、制御電極２７に印加するパルス電圧は１フレーム期間（素子特性を変化させる繰返し周期）に１回としたが、２回以上の複数回印加するようにして１フレーム期間に複数回散乱状態に変化させてもよい。勿論以下に説明する第２の実施例以降でも、パルス電圧を素子特性を変化させる繰返し周期に複数回印加してもよいことは言うまでも無い。
【００４７】
本実施例によれば、リバースモードのスクリーン２１の対向電極２６には、光学層の光学状態を変化させる周期の２倍の周期で、正の電圧Ｖ１１と０ボルトとの間で変化する矩形波電圧を印加し、制御電極２７には、対向電極２６に印加した矩形波電圧と同じ周期かつ同相でＶ１１と同じ値である正の電圧Ｖ１２と０ボルトとの間で変化する矩形波電圧に光学層２５の光学状態を変化させるタイミングで光学状態が変化する電極間電位差となるパルス電圧を重畳させて印加するように同期制御部３１が制御しているので、例えば、２つの矩形波電圧およびパルス電圧の振幅Ｖ１１、Ｖ１２を、同じ値であって所望の光学特性が得られる電極間電位差とすれば、１電源で駆動するための回路を構成することができるので、簡単な回路構成にすることができる。また、印加する電圧値を低下させることができるので、消費電力を低下させることができる。
【００４８】
また、矩形波電圧を印加しているので、実質的に交流駆動を行っている。また、２つの矩形波電圧を片極性の電圧にできるので一つの電極に印加する電圧の振幅を小さくすることができる。また、矩形波電圧の周期が、光学層２５の光学状態を変化させる周期の偶数倍である２倍となっているので、矩形波電圧の波形を映像の同期信号などから生成し易くなる。つまり、対向電極２６の矩形波電圧をプロジェクタ１１のフレーム周期と同期させれば、散乱状態に変化されるための変調タイミングは、その時間幅を含めて制御電極２７の波形により自由度を大きくすることができるため、容易に任意のタイミングで光学層２５を構成する素子の光学特性を変化させることが可能となる。
【００４９】
また、パルス電圧が、制御電極２７に印加される矩形波電圧を構成する２つの電圧値（＋Ｖ１２、０）のうち一方の電圧（＋Ｖ１２）と同じ値であるので、制御電極２７に印加する電圧を生成する電源を１つにすることができ、簡単な回路構成にすることができる。
【００５０】
なお、上述した実施例では、対向電極２６と制御電極２７に印加する電圧を０ボルトと正電圧としていたが、０ボルトと負電圧としてもよい。また、パルス電圧が、制御電極２７に印加される矩形波電圧を構成する２つの電圧値のうち一方の電圧と同じ値としたが、対向電極２６に印加される矩形波電圧を構成する２つの電圧値（＋Ｖ１１、０）のうち一方の電圧と同じ値としてもよい。
【００５１】
また、上述した実施例ではリバースモードで動作するスクリーン２１で説明したが、図６に示すように、ノーマルモードで動作するスクリーン２１でもよい。ノーマルモードで動作するスクリーン２１では、電圧を印加していない通常状態において、スクリーン２１が散乱状態となる。電圧を印加すると、印加電圧に応じた平行光線透過率の透明な透過状態となる。
【００５２】
ノーマルモードの場合、図６に示したタイミングチャートのように、対向電極２６には、光学層２５の光学状態を変化させる周期の２倍の周期の矩形波電圧が印加され、制御電極２７には対向電極２６と同じ周期かつ逆相（周期が半周期ずれている）の矩形波電圧に、光学状態を変化させるタイミング（Ｔ１１、Ｔ１２）でパルス電圧が重畳されている。つまり、光学状態を変化させるタイミング（図６のＴ１１、Ｔ１２）で、対向電極２６と制御電極２７の電極間の電位差を、光学層２５の光学状態が変化する（透過状態から散乱状態に変化する）電位差まで減少するようにしている。ここで、図６のＶ１１とＶ１２は図６に示したＶ１１及びＶ１２と同じようにＶ１＝Ｖ２の関係にある。
【実施例２】
【００５３】
次に、本発明の第２の実施例にかかる表示装置を図７および図８を参照して説明する。なお、前述した第１の実施例と同一部分には、同一符号を付して説明を省略する。
【００５４】
本実施例にかかる表示装置は、第１の実施例と構成は同じであるが、対向電極２６と制御電極２７に印加する駆動電圧波形が異なる。図７に示した本実施例にかかる駆動電圧波形の一例を示したタイミングチャートを参照して説明する。
【００５５】
図７は、リバースモードで動作するスクリーン２１の例である。図７では、第１矩形波電圧である対向電極２６に素子特性を変化させる繰返し周期（Ｔ）の２倍の周期（２Ｔ）の矩形波電圧が印加されている。対向電極２６に印加される矩形波電圧は、０ボルトを中心として＋Ｖ２１ボルトと−Ｖ２１ボルトとの間で変化する矩形交流電圧となっている。
【００５６】
一方、制御電極２７には、第２矩形波電圧である対向電極２６と同じ周期かつ同相の矩形波交流電圧に、光学状態を変化させるタイミングでパルス電圧が重畳されている。制御電極２７に印加される矩形交流電圧は、０ボルトを中心として＋Ｖ２２ボルトと−Ｖ２２ボルトとの間で変化し、パルス電圧も、−Ｖ２２ボルトまたは＋Ｖ２２ボルトの電圧が印加されている。つまり、本実施例は、対向電極２６と制御電極２７に印加する駆動電圧波形が両極性交流電圧となっている点が第１の実施例と異なる。
【００５７】
このようにして、光学状態を変化させるタイミング（図７のＴ２１、Ｔ２２）で、対向電極２６と制御電極２７の電極間の電位差を、光学層２５の光学状態が変化する電位差まで増加するようにしている。
【００５８】
本実施例では、対向電極２６に印加される矩形波電圧が両極性交流電圧であり、対向電極２６に印加される矩形波電圧の振幅が、制御電極２７に印加される矩形波電圧と同じ（Ｖ２１＝Ｖ２２）になっているので、対向電極２６や制御電極２７に印加する電圧は実質的に第１実施例の半分となり、小さな電圧で任意のタイミングに素子の光学特性を変化させることが可能となる。
【００５９】
本実施例によれば、対向電極２６に印加される矩形波電圧が、両極性交流電圧であり、制御電極２７に印加される矩形波電圧の振幅が、対向電極２６に印加される矩形波電圧と同じとなっており、かつ、振幅の中央値が同じ値（０ボルト）となっているので、両極性交流電圧とした場合でも、矩形波電圧の絶対値（０ボルトから矩形波を形成する２つの電圧値までの値）を従来よりも低下させながら光学状態が変化する電極間電位差を生成することができるので、消費電力を低下させることができる。
【００６０】
なお、上述した実施例ではリバースモードで動作するスクリーン２１で説明したが、図８に示すように、ノーマルモードで動作するスクリーン２１でもよい。ノーマルモードの場合、図８に示したタイミングチャートのように、対向電極２６には、光学層２５の光学状態を変化させる周期の２倍の周期の矩形波交流電圧が印加され、制御電極２７には対向電極２６と同じ周期かつ逆相の矩形波交流電圧に、光学状態を変化させるタイミング（Ｔ２１、Ｔ２２）でパルス電圧が重畳されている。このようにして、光学状態を変化させるタイミング（図８のＴ２１、Ｔ２２）で、対向電極２６と制御電極２７の電極間の電位差を、光学層２５の光学状態が変化する電位差まで減少するようにしている。ここで、図８のＶ２１とＶ２２は図７に示したＶ２１及びＶ２２と同じようにＶ２１＝Ｖ２２の関係にある。
【実施例３】
【００６１】
次に、本発明の第３の実施例にかかる表示装置を図９を参照して説明する。なお、前述した第１、第２の実施例と同一部分には、同一符号を付して説明を省略する。
【００６２】
本実施例にかかる表示装置は、第１の実施例と構成は同じであるが、対向電極２６と制御電極２７に印加する駆動電圧波形が異なる。図９に示した本実施例にかかる駆動電圧波形の一例を示したタイミングチャートを参照して説明する。
【００６３】
図９は、リバースモードで動作するスクリーン２１の例であるがノーマルモードでも同様の趣旨で適用が可能である。図９では、第１矩形波電圧である対向電極２６に素子特性を変化させる繰返し周期（Ｔ）の２倍の周期（２Ｔ）の矩形波電圧が印加されている。対向電極２６に印加される矩形波電圧は、−Ｖ３１１ボルトの負電圧分のバイアスがかけられている。即ち、バイアスされた交流電圧である。また、矩形波電圧の正電圧＋Ｖ３１２は、後述する制御電極２７の矩形波電圧及びパルス電圧の振幅Ｖ３２よりもＶ３１１ボルト分大きい電圧である。
【００６４】
一方、制御電極２７には、第２矩形波電圧である対向電極２６と同じ周期かつ同相の矩形波電圧に、光学状態を変化させるタイミングでパルス電圧が重畳されている。制御電極２７に印加される矩形波電圧は、０ボルトと正電圧である＋Ｖ３２ボルトの２つの電圧の間を変化するように制御されている。また、制御電極２７の振幅の中央値と対向電極２６の振幅の中央値は同じ値（Ｖ３２／２）となっている。つまり、本実施例では、対向電極２６に印加される矩形波電圧がバイアスされた交流電圧であり、制御電極２７に印加される矩形波電圧の振幅が対向電極に印加されている矩形波電圧の振幅よりも小さく、双方の中央値が同じ値である点が第１の実施例と異なる。
【００６５】
このようにして、光学状態を変化させるタイミング（図９のＴ３１、Ｔ３２）で、対向電極２６と制御電極２７の電極間の電位差を、光学層２５の光学状態が変化する電位差まで増加するようにしている。即ち、Ｔ３１では＋Ｖ３２から−Ｖ３１１まで、Ｔ３２では＋Ｖ３１２から０ボルトまでの電位差により光学状態が変化する。
【００６６】
なお、図９では、負電圧がバイアスされた交流電圧を示したが、正電圧がバイアスされた交流電圧でもよい。その場合は、図９の波形の極性が反転したようになり、制御電極２７には負電圧が印加される。
【００６７】
本実施例によれば、対向電極２６に−Ｖ３１１ボルトの負電圧のバイアスを与えているので、バイアス電圧分だけ制御電極２７に印加する矩形波電圧やパルス電圧を低下させることができ、制御電極駆動用回路の低コスト化や消費電力を低下させることができる。特に、後述する制御電極２７を分割して走査駆動するような場合に効果が大きい。
【実施例４】
【００６８】
次に、本発明の第４の実施例にかかる表示装置を図１０乃至図１２を参照して説明する。なお、前述した第１乃至第３の実施例と同一部分には、同一符号を付して説明を省略する。
【００６９】
本実施例にかかる表示装置は、第１の実施例と構成は同じであるが、対向電極２６と制御電極２７に印加する駆動電圧波形が異なる。図１０に示した本実施例にかかる駆動電圧波形の一例を示したタイミングチャートを参照して説明する。
【００７０】
図１０は、リバースモードで動作するスクリーン２１の例であるがノーマルモードでも同様の趣旨で適用が可能である。図１０では、第１矩形波電圧である対向電極２６に素子特性を変化させる繰返し周期（Ｔ）の２倍の周期（２Ｔ）の矩形波電圧が印加されている。対向電極２６に印加される矩形波電圧は、０ボルトを中心として＋Ｖ４１ボルトと−Ｖ４１ボルトとの間で変化する矩形交流電圧となっている。
【００７１】
一方、制御電極２７には、第２矩形波電圧である対向電極２６と同じ周期かつ同相の矩形波交流電圧に、光学状態を変化させるタイミングでパルス電圧が重畳されている。但し、制御電極２７に印加される矩形交流電圧は、振幅０としているので、実質的には０ボルトの直流が印加されていることとなる。パルス電圧は、−Ｖ４２ボルトまたは＋Ｖ４２ボルトの電圧が印加されている。つまり、本実施例では、対向電極２６に印加される矩形波電圧が両極性交流電圧であり、制御電極２７に印加される矩形波電圧の振幅が０（ゼロ）であり、双方の振幅の中央値が同じ値となっている点が第１の実施例と異なる。
【００７２】
このようにして、光学状態を変化させるタイミング（図１０のＴ４１、Ｔ４２）で、対向電極２６と制御電極２７の電極間の電位差を、光学層２５の光学状態が変化する電位差まで増加するようにしている。
【００７３】
本実施例によれば、対向電極２６に印加される矩形波電圧が、両極性交流電圧であり、制御電極２７には、振幅０の矩形波交流電圧に光学層２５の光学状態を変化させるタイミングでパルス電圧を印加しているので、制御電極２７を安定にかつ必要な時だけ小さな振幅で光学状態が変化する電極間電位差を生成することができるので、消費電力を低下させることができる。
【００７４】
なお、本実施例の場合、制御電極２７に印加する矩形波電圧は振幅０でなく、対向電極２６に印加される矩形波交流電圧よりも小さい振幅であってもよい。この場合でも、パルス電圧のみを必要な振幅とすることで、光学層２５の光学状態を変化させることができる。
【００７５】
また、本実施例の場合、光学層２５の素子を、透過状態と散乱状態に変化する際の電圧変化と平行光線透過率の関係が急峻に変化する素子を使用することができる。電圧変化と平行光線透過率の関係について、図１１および図１２を参照して説明する。図１１は第１の実施例（図５）に示した駆動電圧波形における電圧変化と平行光線透過率の関係を示したグラフ、図１２は本実施例（図１０）に示した駆動電圧波形における電圧変化と平行光線透過率の関係を示したグラフである。
【００７６】
図５に示した駆動電圧波形の場合、素子電圧０ボルトの透明状態とＶ１２ボルトの散乱状態との間を変化させる必要がある。このとき、透明状態から散乱状態には平行光線透過率が変化する中間状態を経て変化するため、この中間状態の長さ（傾き）が大きいと、変化させる電圧も大きくする必要がある。
【００７７】
そこで、この中間状態の長さが短い（傾きが急峻）な素子を使用すれば、図１２に示したように、透過状態の素子電圧をＶ４１ボルトまで引き上げることができ、散乱状態の電圧（Ｖ４１＋Ｖ４２）ボルトまで変化させるのに必要な制御電極２７に印加するパルス電圧Ｖ４２を小さくすることができる。
【００７８】
また、図１２のように駆動電圧を印加すると、光学層２５を構成する素子には、パルス電圧を印加するタイミング以外では＋Ｖ４１または−Ｖ４１の電圧が印加されることとなるが、この電圧は、素子の光学特性の経時変化による劣化が生じない程度の電圧とすることが好ましい。即ち、２つの矩形波電圧により生じる電位差により光学層２５を構成する素子の素子特性が変化しない電圧（光学層２５を構成する素子の素子特性が変化しない電圧せず、電圧を印加しない場合と同じ光学状態となる電圧）とする。この劣化とは、例えば、経時的に、中間状態の長さが長い（傾きが大きい）状態に変化したり、透過状態になる電圧が低下する方向に変化したりすることである。
【実施例５】
【００７９】
次に、本発明の第５の実施例にかかる表示装置を図１３を参照して説明する。なお、前述した第１乃至第４の実施例と同一部分には、同一符号を付して説明を省略する。
【００８０】
本実施例にかかる表示装置は、第１の実施例と構成は同じであるが、対向電極２６と制御電極２７に印加する駆動電圧波形が異なる。図１３に示した本実施例にかかる駆動電圧波形の一例を示したタイミングチャートを参照して説明する。
【００８１】
図１３は、リバースモードで動作するスクリーン２１の例であるがノーマルモードでも同様の趣旨で適用が可能である。図１３では、第１矩形波電圧である対向電極２６に素子特性を変化させる繰返し周期（Ｔ）の２倍の周期（２Ｔ）の矩形波電圧が印加されている。対向電極２６に印加される矩形波電圧は、第１の実施例と同様に、０ボルトと＋Ｖ５１ボルトの２つの電圧の間を変化するように制御されている。
【００８２】
一方、第２電極には、第２矩形波電圧である対向電極２６と同じ周期かつ同相の矩形波電圧に、光学状態を変化させるタイミングでパルス電圧が重畳されている。図１３のＴ５１に印加されたパルス電圧は、＋Ｖ５２ボルトと＋Ｖ５３ボルトの２つの電圧から構成され、まず＋Ｖ５２ボルトが印加され所定時間経過後に＋Ｖ５３ボルトが印加されている。即ち、パルス電圧が制御電極２７に印加される矩形波電圧の半周期において、複数の電圧値より構成されている。なお、Ｖ５２＞Ｖ５３の関係であり、Ｖ５３は散乱状態を維持できる電圧である。図１３のＴ５２に印加されたパルス電圧は、制御電極２７に印加されている矩形波電圧の電圧値が変化したことによる波形であり、０ボルトと＋Ｖ５４ボルトの２つの電圧から構成され、まず、０ボルトが印加され所定時間経過後に＋Ｖ５４ボルトが印加されている。Ｔ５１に印加されるパルス電圧と、Ｔ５２に印加されるパルス電圧は、上述したように制御電極２７に印加される矩形波電圧の電圧値が変化しているので、Ｖ５２−Ｖ５３＝Ｖ５４の関係が成立する。
【００８３】
このようにして、光学状態を変化させるタイミング（図１３のＴ５１、Ｔ５２）で、対向電極２６と制御電極２７の電極間の電位差を、光学層２５の光学状態が変化する電位差まで増加するようにしている。
【００８４】
特に、図１３に示したように、まず、大きな電圧（Ｖ５２）を印加してから、それよりも低い電圧（Ｖ５３）を印加することで応答時間を速くしながら、適切な散乱状態に安定させることができる。
【００８５】
なお、パルス電圧を構成する電圧は、２つに限らず３以上の電圧値で構成しても良いし、複数の電圧の組み合わせも、大きい順に変化させるに限らず、変化させる特性に応じて適宜変更してもよい。
【００８６】
本実施例によれば、制御電極２７に印加するパルス電圧が、複数の電圧値より構成されているので、１つのパルス電圧を段階的に変化させることで、光学層２５を構成する素子の過渡特性を最適化することができる。
【実施例６】
【００８７】
次に、本発明の第６の実施例にかかる表示装置を図１４乃至図１９を参照して説明する。なお、前述した第１乃至第５の実施例と同一部分には、同一符号を付して説明を省略する。
【００８８】
本実施例にかかる表示装置は、スクリーン２１が、複数の領域に分割されており、各領域（分割領域）が、それぞれ独立したタイミングで、入射光の散乱が小さい透明な透過状態と、散乱状態との間で切り替えることができるようになっている。
【００８９】
図１４に、分割領域毎に光学状態を制御可能なスクリーン２１の模式的な断面図を示し、図１５に、図１４に示したスクリーン２１での、複数の制御電極の配置を示すスクリーンの模式的な正面図を示す。図１４に示したスクリーン２１は、一対の透明なガラス板２３，２４の間に液晶を含む複合材料を挟み込んだ光学層２５を有する。一方のガラス板２４の光学層２５側には、全面に対向電極２６が形成される。他方のガラス板２３の光学層２５側には、複数の制御電極２７が並べて配置される。なお、電極２６、２７と光学層２５との間に、絶縁体からなる中間層を形成してもよい。
【００９０】
複数の制御電極２７は、スクリーン２１の映像光が照射される領域を、一方向（たとえば走査方向）で短冊状に分割する（図１５参照）。複数の制御電極２７は、同期制御部３１に個別に接続され、個別に電圧を印加することができる。隣接する制御電極２７は、互いに離間して配列される。なお、図１５では短冊状の領域が縦に配置されているが、横方向にも分割して、マトリクス状に領域が分割されていてもよい。
【００９１】
また、本実施形態の光学層２５は、分割領域毎に、入射光の散乱が小さい透明な透過状態と、入射光を散乱する散乱状態との間で調整できる。
【００９２】
なお、制御電極２７の間の、制御電極２７が形成されていない領域に対応した光学層２５内のギャップ領域の幅は、５から１００マイクロメートル程度であり、可能な限り狭いことが望ましい。光学層２５の厚さは、数から数十マイクロメートルであり、光学特性と駆動電圧を考慮して決定される。
【００９３】
次に、上述した構成の表示装置１の基本的な動作原理を説明する。図１６は、スクリーン２１の走査と駆動との同期制御の説明図である。プロジェクタ１１は、映像情報で変調された映像光で、スクリーン２１を上から下へ縦に走査する。プロジェクタ１１は、走査の繰り返し期間（以下、走査周期ともいう。）毎に、スクリーン２１を上から下へ縦に走査する。
【００９４】
図１６（Ａ）から（Ｅ）は、１回の走査周期中の各時点での走査状態を、走査順で示すものである。図１６のスクリーン２１は、５つの分割領域２２を有する。５つの分割領域２２は、映像光の走査方向に沿って縦に配列される。
【００９５】
同期制御部３１は、プロジェクタ１１によるスクリーン２１の一次元の縦方向の走査に同期させて、５つの分割領域２２の光学状態を個別に制御する。各分割領域２２は、映像光が投影されていない場合、非映像状態、すなわち入射光の散乱が小さい透明な透過状態に制御される。
【００９６】
映像光の走査が開始されると、プロジェクタ１１の走査光は、まず、図１６（Ａ）のように、スクリーン２１の最上部の分割領域２２に照射される。以下、この説明において、走査光が照射される分割領域２２について、走査されていない他の分割領域２２から区別するために、符号２２１を使用する。同期制御部３１は、プロジェクタからの同期信号に基づいて、走査周期中での、この最上部の分割領域２２１が走査される期間を特定し、最上部の分割領域２２１を映像状態に制御する。最上部の分割領域２２１を走査する映像光は、散乱状態の分割領域２２１により散乱され、スクリーン２１を透過する。
【００９７】
映像光の走査は、次に、図１６（Ｂ）のように、スクリーン２１の上から２番目の分割領域２２１に移動する。同期制御部３１は、走査周期中での、この上から２番目の分割領域２２１が走査される期間を特定し、上から２番目の分割領域２２１を映像状態に制御する。上から２番目の分割領域２２１を走査する映像光は、散乱状態の分割領域２２１により散乱され、スクリーン２１を透過する。また、同期制御部３１は、上から２番目の分割領域２２１を映像状態に制御した後、最上部の分割領域２２を非映像状態に制御する。その後も、図１６（Ｃ）から（Ｅ）に示すように、同期制御部３１は、走査光により走査される分割領域２２１を映像状態に制御し、それ以外の分割領域２２を非映像状態に制御する。
【００９８】
以上の同期制御により、スクリーン２１についての走査光が照射される部位は、映像状態に維持される。これにより、スクリーン２１を走査する映像光は、散乱状態のスクリーン２１で散乱される。また、スクリーン２１についての走査光が照射されない部位は、非映像状態に制御される。各分割領域２２は、走査光により走査されていない殆どの期間において、非映像状態の透明な透過状態に制御される。映像光の投影期間中に、映像の視認性を保ちつつ、スクリーン２１のシースルー特性が得られる。
【００９９】
図１７に、本実施例にかかるプロジェクタ１１の投影方式の説明を示す。図１７は、スクリーン２１を走査するプロジェクタ１１の説明図である。図１７（Ａ）は、プロジェクタ１１がスクリーン２１を走査する投影方式の説明図である。この場合、スクリーン２１には、走査周期において常に映像光が投影される。しかしながら、スクリーン２１の各部に注目すると、図１７（Ｂ）に示すように走査周期の一部において映像光が投影されている。このため、図１７（Ｃ）に示すように、スクリーンの各部は、各々が走査される部分走査期間ＴＰにおいて散乱状態になればよい。また、スクリーン２１の各部分は、該部分走査期間ＴＰ以外の期間において平行光線透過率を高くするように制御すれば、走査周期において、映像の輝度低下を招くことなく、スクリーン２１のシースルー特性が得られる。
【０１００】
図１５に示したスクリーン２１のように一方向に短冊状に分割されている場合、プロジェクタ１１の投影光は、スクリーン２１の分割方向に順次走査される。同期制御部３１は、プロジェクタ１１からの同期信号に基づいて、プロジェクタ１１の投影光が照射される部位が映像状態（本実施例では散乱状態）に維持されるように、複数の分割領域２２を、走査順で、透明な透過状態から散乱状態に制御する。この同期制御により、スクリーン２１の各分割領域２２は、当該領域に投影光が照射される映像期間を含む期間Ｔｏｎ（図１８参照）において、映像状態としての散乱状態になる。また、投影光が照射されない非映像期間Ｔｏｆｆ（図１８参照）においては、非映像状態としての透明な透過状態となる。
【０１０１】
したがって、スクリーン２１は、その背面の物体を認識しうる透明さを有しつつ、常時散乱状態とした場合と同等の明るさで映像光を散乱して透過できる。つまり、背景物体を認識することが可能なシースルー性と、映像の高い視認性とを両立することが可能となる。
【０１０２】
図１８は、スクリーン２１の走査と駆動との模式的なタイミングチャートである。横軸は、時間である。縦軸は、スクリーンの縦方向の位置を示し、スクリーン２１での複数の分割領域２２に対応する。
【０１０３】
スクリーン２１の各分割領域２２は、各々の領域を映像光が走査し始めるタイミングより前に、透明な透過状態から散乱状態に制御される。また、散乱状態の分割領域２２は、当該領域についての走査が終了した後に、散乱状態から透明な透過状態に制御される。
【０１０４】
複数の分割領域２２は、各々の領域に映像光が走査により照射される部分走査期間ＴＰに同期して映像状態（散乱状態）に制御されることにより、走査順で、時間をずらして、順次映像状態へ切り替えられる。スクリーン２１を走査する映像光は、映像状態に維持された部分により、効率よく散乱され、明るく高い視認性を得ることができる。なお、図１８中映像光走査が３本の矢印で表示されているが、これは赤緑青の光の３原色それぞれに対応する映像光を示している。
【０１０５】
この同期制御のための切り替えタイミングの情報は、第１の実施例と同様に同期信号としてプロジェクタ１１から同期制御部３１に送出される。同期制御部３１は、好ましくは、各分割領域２２の光学状態が所定の散乱状態に安定している期間に投影光が照射されるように、対向電極２６と各制御電極２７へ印加する電圧を制御する。各分割領域２２の光学状態は、制御電極２７へ印加する電圧の信号波形により切り替わる。特に、プロジェクタ１１が同期制御部３１へ出力する切り替えタイミングの情報には、プロジェクタ１１の各フレームの走査を開始するタイミングの情報と、走査速度（走査の遅延/シフト）とを含めるとよい。これにより、フレーム周波数が変化した場合にも、映像を乱すことなく、良好なシースルー表示を実現できる。なお、プロジェクタ１１および同期制御部３１をマイクロ波、赤外線などの電磁波を用いたワイヤレス通信可能とし、これらの同期を得るための情報を無線信号により授受してもよい。
【０１０６】
以上の同期制御により、本実施形態の同期制御部３１は、映像光の走査周期Ｔにおける複数の分割領域２２の光学状態を、プロジェクタ１１による映像光の走査に同期させて切り替えて、スクリーン２１についての、映像光が投影される部位の光学状態を映像状態とする。
【０１０７】
よって、スクリーン２１は、映像光が照射されるタイミングを含む期間Ｔｏｎにおいて、映像光が照射される部位が散乱状態に維持されるため、映像を表示できる。
【０１０８】
しかも、スクリーン２１は、映像光の投影期間中に、各部位が期間Ｔｏｎ以外の時間では透明な透過状態に制御されるので、スクリーン２１を透視することができる。人間の目にはスクリーン２１の透過光が平均（積分）化されて見えるので、十分短い走査周期の場合、フリッカを感じることのないシースルー特性が得られる。
【０１０９】
次に、リバースモードで動作するスクリーン２１を用いる表示装置１の駆動を説明する。図１９に同期制御部３１が印加する駆動電圧波形と光学状態の関係の一例を示したタイミングチャートを示す。図１９は第１の実施例の駆動電圧波形（図５）を適用した例であるが、第２〜第５の実施例に示した駆動電圧波形を適用してもよい。
【０１１０】
図１９に示したように、パルス電圧を周期Ｔの間に走査の先頭となる領域１から順次等時間間隔でシフトさせるように印加して透過状態から散乱状態に変化させている。なお、図１９ではパルス電圧の印加が隣接する領域間で時間的に一部重なっているが、全部重なってもよい（つまり、複数の領域が同時に変化してもよい）し、重ならないようにしてもよい。さらに、パルス電圧の印加時間も同じ時間（等時間間隔）でなく異なる時間（非等間隔）としてもよい。パルス電圧の印加時間を増加または減少させることで光学層２５の光学特性維持時間を変化させることができる。
【０１１１】
即ち、分割された制御電極２７の各領域に対応する光学層２５の光学状態を変化させるタイミングを順次切り替えるようにし、その切り替えに基づいてパルス電圧の印加タイミングを順次切り替えている。
【０１１２】
本実施例によれば、制御電極２７が複数の領域に短冊状に分割されており、同期制御部３１が、分割された制御電極２７の各領域に対応する光学層２５の光学状態を変化させるタイミングを順次切り替えるようにパルス電圧の印加タイミングを順次切り替えているので、制御電極２７が複数の領域に分割されているようなスクリーン２１において、簡単な回路構成にすることができるとともに、消費電力を低下させることができる。また、制御電極２７を短冊状に分割することで、例えば、スクリーン２１を走査方向に沿って縦に配列することができ、映像の走査順に順次光学状態を変化させることができる。
【実施例７】
【０１１３】
次に、本発明の第７の実施例にかかる表示装置を図２０を参照して説明する。なお、前述した第１乃至第６の実施例と同一部分には、同一符号を付して説明を省略する。
【０１１４】
本実施例にかかる表示装置は、第６の実施例と構成は同じであるが、対向電極２６と制御電極２７に印加する駆動電圧波形が異なる。図２０に示した本実施例にかかる駆動電圧波形の一例を示したタイミングチャートを参照して説明する。
【０１１５】
本実施例は、第６の実施例に示したような複数の領域に分割したスクリーン２１において、各領域の光学特性維持時間を長くするために、パルス電圧の長さ（電圧保持時間）を長くして、対向電極２６や制御電極２７に印加している矩形波電圧の電圧値が変化する時間にパルス電圧の電圧保持時間が跨る場合は、パルス電圧の電圧波形も光学状態を維持するのに必要な電位差を保持するように電圧値を変化させるようにしている。
【０１１６】
図２０の場合、電圧保持時間をΔＴとし、矩形波電圧の電圧値の変化時間をＴ７とすると、領域Ｎの電圧保持時間がＴ７を超えてしまう（跨ってしまう）。そのため領域Ｎの電圧保持時間のうち、Ｔ７以降は電圧値を０ボルトから＋Ｖ１２ボルトに変化させて散乱状態を保持できるようにする。このような制御は、電圧保持時間（光学特性維持時間）と、矩形波電圧の周期が予め判明しているので、どの領域で電圧値を変化させる時間Ｔ７を跨るかを予測して、Ｔ７になった際に当該領域の電圧値を変化（制御電極２７の中央値に関して反転するような電圧に変化）させればよい。
【０１１７】
なお、本実施例では、駆動電圧波形として第１の実施例に示した駆動電圧波形で説明したが、他の実施例で示した駆動電圧波形を用いてもよいことは言うまでも無い。
【０１１８】
本実施例によれば、複数の制御電極２７のうち、パルス電圧の電圧保持時間が矩形波電圧の電圧値変化タイミングを跨ぐ電極がある場合は、当該制御電極に印加するパルス電圧を、矩形波電圧の電圧値変化タイミングで電圧値を変化させるように制御しているので、複数の領域のうち、電圧保持時間が矩形波電圧の電圧値変化タイミングにかかってしまう領域も設定した時間分だけ光学特性を維持させることができ、領域によって光学特性維持時間が異なることによる表示のムラなど表示の劣化を防止することができる。
【０１１９】
なお、上述した各実施例では、パルス電圧の振幅は、対向電極２６に印加される矩形波電圧と同じか、小さい電圧値であったが、大きな電圧値としてもよい。このようにすることで、対向電極２６に印加される矩形波電圧の振幅を小さくしても、光学層２５の光学状態を変化させることができる。
【０１２０】
前述した実施例によれば、以下の表示装置１および表示装置１の駆動方法が得られる。
【０１２１】
（付記１）電圧の印加により光学状態が変化する光学層２５、および光学層２５に電圧を印加するために光学層２５を挟んで対向配置される対向電極２６及び制御電極２７を有するスクリーン２１と、
スクリーン２１に投影される映像光の投影期間において、対向電極２６および制御電極２７に所定の電圧を印加し、スクリーン２１を映像光を散乱する散乱状態とこれと異なる光学状態である透過状態との間で切り替える切替信号を出力する同期制御部３１と、
を有する表示装置１において、
同期制御部３１が、対向電極２６に、光学層２５の光学状態を変化させる周期の整数倍の周期の第１矩形波電圧を印加し、制御電極２７に、第１矩形波電圧と同じ周期かつ位相が同じまたは半周期ずれている第２矩形波電圧に光学層２５の光学状態を変化させるタイミングで光学状態が変化する電極間電位差となるパルス電圧を重畳させて印加することを特徴とする表示装置１。
【０１２２】
（付記２）電圧の印加により光学状態が変化する光学層２５、および光学層２５に電圧を印加するために光学層２５を挟んで対向配置される対向電極２６及び制御電極２７を有するスクリーン２１と、
スクリーン２１に投影される映像光の投影期間において、対向電極２６および制御電極２７に所定の電圧を印加し、スクリーン２１を映像光を散乱する散乱状態とこれと異なる光学状態である透過状態との間で切り替える切替信号を出力する同期制御部３１と、
を有する表示装置１の駆動方法において、
同期制御部３１が、対向電極２６には、光学層２５の光学状態を変化させる周期の整数倍の周期の第１矩形波電圧を印加し、制御電極２７には、第１矩形波電圧と同じ周期かつ位相が同じまたは半周期ずれている第２矩形波電圧に光学層２５の光学状態を変化させるタイミングで光学状態が変化する電極間電位差となるパルス電圧を重畳させて印加することを特徴とする表示装置１の駆動方法。
【０１２３】
この表示装置１および表示装置の駆動方法によれば、例えば、第１、第２矩形波電圧およびパルス電圧の振幅を光学状態が変化する電極間電位差とすれば、少ない電源で駆動するための回路を構成することができるので、簡単な回路構成にすることができる。また、電圧を低下させることができるので、消費電力を低下させることができる。さらに、容易に任意のタイミングで光学層を構成する素子の光学特性を変化させることが可能となる。
【０１２４】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【０１２５】
１ 表示装置
１１ プロジェクタ
２１ スクリーン
２５ 光学層
２６ 対向電極（第１電極）
２７ 制御電極（第２電極）
３１ 同期制御部（制御部）
【図１】
2020173467.tif 000003
【図２】
2020173467.tif 000004
【図３】
2020173467.tif 000005
【図４】
2020173467.tif 000006
【図５】
2020173467.tif 000007
【図６】
2020173467.tif 000008
【図７】
2020173467.tif 000009
【図８】
2020173467.tif 000010
【図９】
2020173467.tif 000011
【図１０】
2020173467.tif 000012
【図１１】
2020173467.tif 000013
【図１２】
2020173467.tif 000014
【図１３】
2020173467.tif 000015
【図１４】
2020173467.tif 000016
【図１５】
2020173467.tif 000017
【図１６】
2020173467.tif 000018
【図１７】
2020173467.tif 000019
【図１８】
2020173467.tif 000020
【図１９】
2020173467.tif 000021
【図２０】
2020173467.tif 000022